(57)【要約】【課題】  結線時の作業性と、結線後の配策経路のばらつき規制とを両立することが可能となるコネクタカバーを提供する。【解決手段】  コネクタ１の背面にその一端を固定して装着されるコネクタカバーであって、コネクタ１の背面から導出されたハーネス３が可動状態で収容可能な断面凹形状を有しているとともに、ハーネス３が所定方向に配策可能となるように屈曲しており、前記断面凹形状は、前記屈曲の内周側に開口していることを特徴とする。【選択図】  図１
2019160712.tif 000002
【特許請求の範囲】
【請求項１】
コネクタの背面にその一端を固定して装着されるコネクタカバーであって、
前記コネクタの背面から導出されたハーネスが可動状態で収容可能な断面凹形状を有しているとともに、前記ハーネスが所定方向に配策可能となるように屈曲しており、
前記断面凹形状は、前記屈曲の内周側に開口していることを特徴とするコネクタカバー。
【発明の詳細な説明】
【技術分野】
【０００１】
本発明は、コネクタカバーに関する。
【背景技術】
【０００２】
電装品に接続するコネクタ後方から導出されるハーネス経路の規制や保護のために、コネクタハウジングに装着されるカバーの技術が開示されている（例えば、特許文献１参照）。特許文献１に開示されているコネクタは、曲げ変形させた時の復元力が高い電線（ハーネス）であっても、電線ホルダ（カバー）によってその電線を所定の曲率に曲げた状態に保持できるようにするものである。
【先行技術文献】
【特許文献】
【０００３】
【特許文献１】特開２００２−３５２９０１号公報
【発明の概要】
【発明が解決しようとする課題】
【０００４】
これらの従来のカバーでは、コネクタ後方のハーネス経路は固定的である。コネクタが接続される電装品行きのハーネスが太く、固定点からＵターン状に配策されて前記電装品にコネクタ接続されるような箇所では、コネクタ後方のハーネスに、コネクタの差込みストロークを考慮した余長や曲げ代が必要となる。
【０００５】
図３は、従来のコネクタカバー２０を有するコネクタ１およびハーネス３の配策の状態を説明する図である。図３（ａ）は結線前の状態を、図３（ｂ）は結線後の状態を示している。同図におけるコネクタカバー２０は、テープ巻きあるいは結束バンド等で、ハーネス３を所定の曲率（角度）に曲げた状態で固定している。ハーネス３は、所定位置でクランプ５で固定されている。コネクタ１を結線相手部品７に差し込む際には、図３（ａ）に示すように、結線相手部品７の正面にコネクタ１を配置してから図中の棒矢印方向に差し込むことで、スムーズな結線ができる。しかし、図３（ａ）の状態で結線するためには、図３（ｂ）に示すように、矢印領域で示す部分にハーネス３の余長が必要となる。前記余長が短いと、スムーズな結線が困難となるが、その一方で、前記余長が長くなると、配策経路にばらつきが生じやすく周辺部品との干渉のおそれが生じ、また、コストアップの原因ともなる。また、結線時のハーネス３の曲率変化が大きくなるため、太いハーネスでは組み付けが困難となる。
【０００６】
本発明は上記問題点を解決するものであり、結線時の作業性と、結線後の配策経路のばらつき規制とを両立することが可能となるコネクタカバーを提供することを目的とする。
【課題を解決するための手段】
【０００７】
上記目的を達成するために、本発明のコネクタカバーは、
コネクタの背面にその一端を固定して装着されるコネクタカバーであって、
前記コネクタの背面から導出されたハーネスが可動状態で収容可能な断面凹形状を有しているとともに、前記ハーネスが所定方向に配策可能となるように屈曲しており、
前記断面凹形状は、前記屈曲の内周側に開口していることを特徴とする。
【発明の効果】
【０００８】
本発明によれば、結線時の作業性と、結線後の配策経路のばらつき規制とを両立することが可能となるコネクタカバーを提供することができる。
【図面の簡単な説明】
【０００９】
【図１】図１は、本発明のコネクタカバー１０を有するコネクタおよびハーネスの配策の状態を説明する図である。図１（ａ）は結線前の状態、図１（ｂ）は結線後の状態である。
【図２】図２は、本発明のコネクタカバーの一例の斜視図である。図２（ａ）は全体図、図２（ｂ）は、端部の拡大図である。
【図３】図３は、従来のコネクタカバー２０を有するコネクタおよびハーネスの配策の状態を説明する図である。図３（ａ）は結線前の状態、図３（ｂ）は結線後の状態である。
【発明を実施するための形態】
【００１０】
以下、この発明の実施の形態を、図面を参照しながら説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１１】
図１は、本発明のコネクタカバー１０を有するコネクタおよびハーネスの配策の状態を説明する図である。図１（ａ）は結線前の状態、図１（ｂ）は結線後の状態である。また、図２に、本発明の一例であるコネクタカバー１０の斜視図を示す。図２（ａ）は全体図、図２（ｂ）は、端部の拡大図である。
【００１２】
本実施形態のコネクタカバー１０は、コネクタ１の背面にその一端を固定して装着されている。コネクタ１の背面からは、ハーネス３が導出されており、ハーネス３は、所定位置でクランプ５で固定されている。
【００１３】
本実施形態のコネクタカバー１０は、ハーネス３をコネクタ１の導出方向から略直角方向に屈曲させるものであり、その断面は、図２（ａ）に示すようにＵ字形状である。前記Ｕ字形状の開口の方向は、屈曲の内周側であり、前記開口はハーネス３が収容できるサイズとなっている。したがって、コネクタカバー１０をコネクタ１の背面に装着すると、前記Ｕ字形状の窪み部分にハーネス３が収容されて、コネクタカバー１０の屈曲方向にハーネス３を配策することができる。
【００１４】
ハーネス３はコネクタカバー１０内に収容された状態でも、コネクタカバー１０には固定されておらず、可動である。このため、コネクタ１を結線相手部品７に差し込む際には、図１（ａ）に示すように、結線相手部品７の正面にコネクタ１を配置して図中の棒矢印方向に差し込むが、この状態では、ハーネス３をコネクタカバー１０から引き出すことができる。
【００１５】
図３に示すコネクタカバー２０にハーネス３が固定されている従来の形態では、コネクタカバー２０の端部（コネクタ側と反対側の出口部分）でハーネス３の曲げやつっぱりを生じさせないために、ハーネスの線長を長くとる必要がある。これに対して、本実施形態のコネクタカバー１０では、コネクタカバー１０の端部（コネクタ側と反対側の出口部分）でハーネス３が固定されていないので、コネクタ１を図１（ａ）の位置に運んだ際に、コネクタカバー１０の屈曲方向内周側にハーネス３の経路を移動させることができる。そして、結線後には、図１（ｂ）に示すように、図３（ｂ）の矢印領域で見られるようなハーネスの弛みを低減させるとともに、ハーネス３はコネクタカバー１０の内部に収容されて、配策経路のばらつきを防ぐことができる。
【００１６】
したがって、コネクタカバー１０を用いることで、ハーネス３の線長をより短くしても、結線時の作業性を良好なものとすることができる。そして、ハーネス３の線長がより短くなることで、配策経路のばらつきは生じにくくなり、周辺部品との干渉のおそれが低減する。さらに、低コスト化も図ることができる。
【００１７】
本実施形態では、コネクタカバー１０には、コネクタ１側と反対側の端部にストッパー１１が設けられている。ストッパー１１は、図２（ｂ）に示すように、開閉可能である。ストッパー１１を閉じたときには、ハーネス３は、コネクタカバー１０のＵ字形状部分とストッパー１１との間で可動となる。ストッパー１１は必須の部材ではないが、ストッパー１１を設けることで、作業時のコネクタカバー１０からのハーネス外れを防ぐことができ、作業性を向上させることができるため好ましい。
【００１８】
コネクタカバー１０とコネクタ１との固定は、爪部を設けることによる爪篏合等の手段で行うことができるが、容易に外れない状態にすることができれば、これに限定されるものではない。
【００１９】
本実施形態においては、コネクタカバー１０は、ハーネス３をコネクタ１の導出方向から略直角方向に屈曲させるものであるが、本発明はこれに限定されない。コネクタカバーの屈曲角度を調整して、所望の配策経路にハーネスを規制することも可能である。また、本実施形態においては、コネクタカバー１０の屈曲部は、略円弧形状であるが、材質や強度に応じてＬ字形状や台形形状等の形状としてもよい。
【００２０】
また、コネクタカバー１０の断面形状はＵ字形状であるが、本発明のコネクタカバーは、断面形状はハーネスが可動状態で収容可能な凹形状であれば、Ｕ字形状に限定されるものではない。
【符号の説明】
【００２１】
１  …コネクタ
３  …ハーネス
５  …クランプ
７  …結線相手部品
１０  …コネクタカバー
１１  …ストッパー
２０  …コネクタカバー
【図１】
2019160712.tif 000003
【図２】
2019160712.tif 000004
【図３】
2019160712.tif 000005